(57)【要約】【課題】財布の内部に硬貨、紙幣又はカードなどがたくさん入っている場合にも財布の内部を広く照明することにより、夜間又は暗闇でも財布から硬貨、紙幣又はカードなどを正確に取り出す。【解決手段】硬貨類を収納する収納部３と、収納部３ないに設けられた、硬貨類を出し入れする際に開閉する開口部４と、収納部３に設けられた光源５と、収納部３に設けられた、光源５の照射光を拡散させ、収納部３内を広く照明する光拡散部材１と、を備えた。【選択図】図２
2016013223.tif 000002
【特許請求の範囲】
【請求項１】
硬貨類を収納する収納部（３）と、
前記収納部（３）に設けられた、該収納部（３）内に硬貨類を出し入れする際に開閉する開口部（４）と、
前記収納部（３）に設けられた光源（５）と、
前記収納部（３）に設けられた、前記光源（５）の照射光を拡散させ、該収納部（３）内を広く照明する光拡散部材（１）と、を備えた、ことを特徴とする照明器内蔵型財布。
【請求項２】
前記光拡散部材（１）は、透光性を有する導光シート（８）と反射機能を有する光拡散シート（９）を張り合わせたものである、ことを特徴とする請求項１の照明器内蔵型財布。
【請求項３】
前記光拡散部材（１）は、前記収納部（３）に張り付けられた、透光性を有する合成樹脂材からなる導光体（２２）であり、
該導光体（２２）の一部から前記光源（５）の照射光を入射させ、その照射光を該収納部（３）内に広く拡散させるように構成したものである、ことを特徴とする請求項１の照明器内蔵型財布。
【請求項４】
前記収納部（３）自体が透光性を有する導光シート材から成るものである、ことを特徴とする請求項１の照明器内蔵型財布。
【請求項５】
前記光源（５）はレンズ内に発光素子が封入された砲弾型ＬＥＤであり、その電池（１０）とスイッチ（１１）を具備した、ことを特徴とする請求項１，２，３又は４の照明器内蔵型財布。
【請求項６】
前記光源（５）は基板上にリフレクタと発光素子を備えた表面実装型ＬＥＤであり、その電池（１０）とスイッチ（１１）を具備した、ことを特徴とする請求項１，２，３又は４の照明器内蔵型財布。
【発明の詳細な説明】
【技術分野】
【０００１】
本発明は、小銭入れ等の財布に係り、特に財布の内部を照明することができる照明器内蔵型財布に関する。
【背景技術】
【０００２】
財布に入れた硬貨、紙幣又はカードなどを出し入れする際に、昼間又は周囲が明るいときは所望の硬貨又は紙幣などを容易に取り出すことができる。夜間又は暗闇では、必要な硬貨又は紙幣などを正確に取り出すことが困難な場合がある。特に、多数の硬貨が入っている小銭入れから必要な硬貨を取り出すことは困難なことが多い。
【０００３】
夜間又は暗闇の中でも、財布に入れた硬貨、紙幣又はカードなどを容易に取り出すことができる財布が種々提案されている。例えば、特許文献１の実用新案登録第３１３４８３１号公報「照明つき収納物入れ」のように、蓋の開閉時に点灯、消灯の機能を持つ照明装置を取り付けた収納物入れが提案されている。
【０００４】
また、特許文献２の実用新案登録第３０２４７３３号公報「財布、かばん等袋物の内部照明装置」のように、所要の収納部と開閉自在な蓋部を一体形成してなる財布、かばん等袋物において、上記収納部に手元スイッチを設け、かつ該手元スイッチの閉成操作で点灯する照明灯を収納部内に臨ませて配設したものが提案されている。
【先行技術文献】
【特許文献】
【０００５】
【特許文献１】実用新案登録第３１３４８３１号公報
【特許文献２】実用新案登録第３０２４７３３号公報
【発明の概要】
【発明が解決しようとする課題】
【０００６】
しかし、小銭入れのように多数の硬貨が入っている場合は、特許文献１の「照明つき収納物入れ」又は特許文献２の「財布、かばん等袋物の内部照明装置」ように、収納物入れ又は財布、かばん等袋物の内面に、電球等の光源が１か所のみ取り付けられた構成では、開口部の周辺まで広範囲に明るくすることができなかった。この１か所の光源部分に物が覆うように当たっているときは、その照明効果が減殺され、財布の内部を十分に照明できなかった。
【０００７】
また、図１１の財布５１の断面図に示すように、小銭入れに硬貨ｃが多数入っているときは、この照明器５２の照射部分より上方に位置する硬貨ｃ（図示上はグレーに着色した硬貨ｃ）については、照明されず夜間又は暗闇では明確に判別できないという問題を有していた。同様に照射部分から外れた硬貨ｃも照明されなかった。
【０００８】
本発明は、かかる問題点を解決するために創案されたものである。すなわち、本発明の目的は、財布の内部に硬貨、紙幣又はカードなどがたくさん入っている場合にも財布の内部を広く照明することにより、夜間又は暗闇でも財布から硬貨、紙幣又はカードなどを正確に取り出すことができる照明器内蔵型財布を提供することにある。
【課題を解決するための手段】
【０００９】
本発明は、硬貨類を収納する収納部（３）と、前記収納部（３）に設けられた、該収納部（３）内に硬貨類を出し入れする際に開閉する開口部（４）と、前記収納部（３）に設けられた光源（５）と、前記収納部（３）に設けられた、前記光源（５）の照射光を拡散させ、該収納部（３）内を広く照明する光拡散部材（１）と、を備えた、ことを特徴とする。
例えば、前記光拡散部材（１）は、透光性を有する導光シート（８）と反射機能を有する光拡散シート（９）を張り合わせたものである。
【００１０】
また、前記光拡散部材（１）は、前記収納部（３）に張り付けられた、透光性を有する合成樹脂材からなる導光体（２２）であり、該導光体（２２）の一部から前記光源（５）の照射光を入射させ、その照射光を該収納部（３）内に広く拡散させるように構成したものである。
前記収納部（３）自体を、透光性を有する導光シート材で形成することもできる。
【００１１】
前記光源（５）はレンズ内に発光素子が封入された砲弾型ＬＥＤであり、その電池（１０）とスイッチ（１１）を具備したものである。
前記光源（５）は基板上にリフレクタと発光素子を備えた表面実装型ＬＥＤであり、その電池（１０）とスイッチ（１１）を具備したものである。
【発明の効果】
【００１２】
上記構成の発明では、収納部（３）に光拡散部材（１）が設けられているので、これに光源（５）からの照射光を当てると拡散した光が、収納部（３）を広く照明することができる。夜間又は暗闇において、財布（２，２１）から硬貨を取り出す際に、少量の硬貨のときは勿論のこと大量の硬貨が開口部（４）まで溢れそうな時でも、光拡散部材（１）がこの開口部（４）まで広く照明しているので、硬貨の種別を明確に選び出すことができる。
【００１３】
また、光拡散部材（１）が収納部（３）を広く照明しているので、財布（２，２１）の形状に関係なく、その内部を広く照明することができる。二つ折り式で収納部（３）が開口部（４）と共に１８０度近く開閉する財布（２，２１）については、硬貨を十分に照明することができる。開口部（４）ががま口式の財布（２，２１）については、この開口部（４）を広く開けることができるが、収納部（３）はそれほど広がらない財布（２，２１）でもその内部を広く照明することができる。更には、ファスナー式の開口部（４）が広く開けられない財布（２，２１）でも容易に内部を広く照明することができる。
【００１４】
導光シート（８）と光拡散シート（９）から成る光拡散部材（１）では、これを収納部（３）の内面に張り付けて使用することにより、この導光シート（８）に光源（５）を配置し、これを照射することにより、この導光シート（８）の照射光は光拡散シート（９）により広い範囲に拡散され、財布（２）の内部（収納部（３））を広く照明することができる。
【００１５】
導光シート（８）と光拡散シート（９）が共にフレキシブルな素材からなる光拡散部材（１）は、柔軟な素材の財布（２）にも適している。
【００１６】
合成樹脂製の導光体（２２）からなる光拡散部材（１）では、これを開口部（４）の近くに取り付けて使用することにより、この導光体（２２）の一部に光源（５）の光を照射すると、この導光体（２２）の周囲から収納部（３）内を広い範囲で拡散照射させるため、財布（２１）の内部（収納部（３））を広く照明することができる。
この導光体（２２）の光拡散部材（１）は、がま口の開口部（４）の口金のような硬い素材、あるいは合わせ式財布（２１）のような硬い素材の場合に適している。
【００１７】
収納部（３）自体を、透光性を有する導光シート（８）で形成した財布では、財布全体が照明されるために、硬貨類の種別を明確に選び出すことができる。
【図面の簡単な説明】
【００１８】
【図１】実施例１の光拡散シートを具備した照明器内蔵型財布を示す正面図である。
【図２】実施例１の光拡散シートを具備した照明器内蔵型財布を示す断面図である。
【図３】実施例１の光拡散シート部分の拡大側断面図である。
【図４】実施例１の照明器内蔵型財布の使用状態を示す断面図である。
【図５】実施例２の導光体を具備した照明器内蔵型財布を示す断面図である。
【図６】実施例２の導光体部分の平断面図である。
【図７】導光体と光源を示す断面図である。
【図８】導光体と光源を示す拡大断面図である。
【図９】がま口式の財布に本発明の照明器内蔵型財布を構成した状態を示す断面である。
【図１０】二つ折り式の財布に本発明の照明器内蔵型財布を構成した状態を示す断面である。
【図１１】従来の照明器を備えた財布の断面図である。
【発明を実施するための形態】
【００１９】
本発明は、硬貨類を収納する収納部と、硬貨類を出し入れする際に開閉し得る開口部と、収納部内に設けられた光源と、光源の照射光を拡散させ、収納部内を広く照明し得る光拡散部材とを備えた財布である。
【実施例１】
【００２０】
＜照明器内蔵型財布の構成＞
図１は実施例１の光拡散シートを具備した照明器内蔵型財布を示す正面図である。図２は実施例１の光拡散シートを具備した照明器内蔵型財布を示す断面図である。図３は実施例１の光拡散シート部分の拡大側断面図である。
本発明の実施例１の光拡散部材１である導光シート８と光拡散シート９を具備した照明器内蔵型財布２は皮革製の財布であり、硬貨ｃを収納する収納部３と、この収納部３内に硬貨ｃを出し入れする際に開閉する開口部４とを備えたものである。この収納部３に、光源５と、この光源５の照射光を収納部３内面に拡散させ、収納部３内の広く照明し得る光拡散部材１が設けられている。光源５と光拡散部材１により収納部３内を広範囲に照明するようになっている。なお、照明器内蔵型財布２の素材は皮革製に限定されない。例えば、合成樹脂製、木製、金属製、その他の素材のものを用いることができる。
【００２１】
実施例１の照明器内蔵型財布２は、硬貨ｃが数十枚収納することができる略四角形状の収納部３を有する財布である。その一辺に設けられた開口部４はエレメントとスライダー７から成るファスナー６が開閉する方式である。図２に示すように、この収納部３の内面に光拡散部材１を張り付け、この光拡散部材１を照射するＬＥＤなどの光源５を取り付けた。この光拡散部材１は開口部４即ちファスナー６の近くに張り付けた。これは開口部４から収納部３の底（奥）の方を照明するためである。なお、照明器内蔵型財布２（収納部３）の形状は略四角形状に限定されないことは勿論である。例えば、円形状、三角形状、八角合形状、俵型、球状、その他の形状のもでもよい。
【００２２】
また、光拡散部材１は収納部３の一面側に張り付けることに限定されない。フレキシブルな素材のものであれば、１枚の光拡散部材１を折り曲げて収納部３の両面側に張り付けることもできる。
【００２３】
＜光拡散シート（光拡散部材）の構成＞
実施例１の光拡散部材１は、図３の拡大断面図に示すように。例えばアクリル樹脂製の導光シート８と反射機能を有する鏡面加工した光拡散シート９を張り合わせたものである。この導光シート８を光源５で照射するとその光が光拡散シート９で拡散されて収納部３内を広く照明することができる。
【００２４】
また、この導光シート８と光拡散シート９はフレキシブルな素材が好ましい。財布２は硬貨ｃをたくさん入れるとそれにより収納部３に凹凸ができるからである。その形状の変化に追従できるようにするためである。
【００２５】
光源５は、同じく図３の拡大断面図に示すように、その照射方向に光拡散シート９に向けて配置し、その照射光を効率よく反射させる。この光源５は、例えばレンズ内に発光素子が封入された砲弾型ＬＥＤを用いる。この砲弾型ＬＥＤは電池１０とスイッチ１１を具備している。この砲弾型ＬＥＤで光拡散部材１の一部を照射するようになっている。または基板上にリフレクタと発光素子を備えた表面実装型ＬＥＤを用いることができる。
【００２６】
電池１０は財布２という狭い空間内に取り付けると共に、消費電力を少量で済むので、いわゆるボタン型電池を使用する。このボタン型電池は一次電池でも二次電池の何れでもよい。
【００２７】
このように光源５のＬＥＤと電池１０とスイッチ１１とを一体化してコンパクトにすることで、小さな財布２にも容易に取り付けることができる。
【００２８】
スイッチ１１は電路の開閉を行うものであるが、本発明のスイッチ１１は押しボタン式を用いた。なお、押しボタン式スイッチ１１には押している間だけスイッチがオンになる自動復帰型スイッチと、押すたびにオンとオフが反転する位置保持型スイッチがある。本発明では数秒から１０数秒程度点灯させればよいので、自動復帰型スイッチを用いることがコンマしい好ましい。この自動復帰型スイッチによれば、本発明の財布２がポケットの中、カバンの中で他の物に当たり、硬貨がこのスイッチ１１を誤って押した際にそのまま点灯し続けるという不具合が生じないからである。
【００２９】
また、図示例では光源５とスイッチ１１を共に収納部３内に配置したが、光源５は収納部３内に配置する必要があるが、スイッチ１１は収納部３の表面側に設けることも可能である。
【００３０】
＜照明器内蔵型財布の使用方法＞
図４は実施例１の照明器内蔵型財布の使用状態を示す断面図である。
このように構成した照明器内蔵型財布２の使用方法について説明する。
夜間又は暗闇において、財布２から硬貨ｃを取り出す際に、その開口部４を開け、スイッチ１１を親指で押して光源５を点灯させる。この光源５の点灯により、収納部３の内面に設けられた光拡散部材１が収納部３内を広く照明することができる。この照明により硬貨の種別を明確に選び出すことができる。必要な硬貨を取り出すことができる。
その後は、親指をスイッチ１１から外して財布２の開口部４を閉じればよい。
【００３１】
なお、夜間又は暗闇において、小銭入れ（財布２）から硬貨ｃを取り出す際に、少量の硬貨ｃのときは勿論のこと大量の硬貨が開口部４まで溢れそうな時でも、光拡散部材１がこの開口部４まで広く照明しているので、明確に硬貨ｃの種別を選び、的確に取り出すことができる。
【実施例２】
【００３２】
＜導光体（光拡散部材）を具備した照明器内蔵型財布の構成＞
図５は実施例２の導光体を具備した照明器内蔵型財布を示す断面図である。図６は実施例２の導光体部分の平断面図である。図７は導光体と光源を示す断面図である。図８は導光体と光源を示す拡大断面図である。なお、導光体以外の部材は実施例１のものと同じため詳細な説明は省略する。
実施例２の照明器内蔵型財布２１は光拡散部材１として導光体２２を具備した財布である。この実施例２の光拡散部材１は、収納部３の内面に、透光性を有する合成樹脂材からなる導光体２２を張り付けたものである。この導光体２２は、例えばアクリル樹脂などの透明樹脂の内面反射を利用して、片側の光源５から入射した光を他方へ効率よく導く材質ものである。この導光体２２の一部から光源５の照射光を入射させ、その照射光を収納部３内に広く拡散させるように構成したものである。
【００３３】
この実施例２の光拡散部材１は、これを開口部４の近くに取り付けて使用することにより、この導光体２２の一部に光源５の光を照射し、この導光体２２の周囲から収納部３内を拡散照射させて広い範囲を照明でき、財布２１の内部（収納部３）を広く照明することができる。この導光体２２の長手方向の一側に着色して、その反対側は透明又は透光性の状態にすることで、収納部３の底方向に向けて照明するように構成することも可能である。
この導光体２２の光拡散部材１は、がま口の開口部４の口金のような硬い素材あるいは、合わせ式財布のような硬い素材の場合にも適している。
【００３４】
導光体２２と光源５との位置関係は、図７と図８の断面図に示すように、導光体２２の略中央位置に入射部２３を形成し、これに光源５の光を照射する。この入射部２３は導光体２２の一端に設けることも勿論可能である。導光体２２の一側（図示上では上側）に反射材２６を取り付けることで、その反対側（図示上では下側）から反射光を効率よく出射させることができる。
【実施例３】
【００３５】
＜その他の光拡散部材の構成＞
財布２，２１に光拡散部材１を設ける構成のほか、財布２，２１全体が照射される構成にすることができる。図示していないが、光拡散部材１は収納部３の内面に張り付ける構成に限定されず、収納部そのものが透光性機能を有する素材で構成することも可能である。このように構成すればこの収納部の一部を照射すれば、財布自体が照明されて、内部の硬貨を容易に判別することができる。
【００３６】
＜他の形状の照明器内蔵型財布の実施例＞
図９はがま口式の財布に本発明の照明器内蔵型財布を構成した状態を示す一部切り欠いた正面図である。図１０は二つ折り式の財布に本発明の照明器内蔵型財布を構成した状態を示す一部切り欠いた正面図である。
本発明の照明器内蔵型財布２，２１はファスナー式の開口部４を有する財布に限定されない。図９に示すように、ファスナー６に代えて、その開口部は広く開けることができるが、収納部３内はそれほど広がらないがま口２４式財布２，２１について、その内部を広く照明することができる。がま口２４の近くに光拡散部材１を設けることも可能である。
【００３７】
図１０に示すように、二つ折り式の財布２，２１にも構成することができる。光拡散部材１が収納部３の内面を広く照明しているので、二つ折り式で収納部３が開口部４と共に１８０度近く開閉し、開口部４に着脱自在になる１対のホック２５が設けられたホック式財布では十分に硬貨を照明することができる。
【００３８】
更に、ファスナー式の開口部４が広く開けられない財布でも容易に内部を広く照明することができる。本発明の構成では、このように光拡散部材１により財布の形状に関係なく、その内部を広く照明することができる。
【００３９】
なお、本発明は、財布２，２１の内部に硬貨ｃ、紙幣又はカードなどがたくさん入っている場合にも財布２，２１の内部を広く照明することにより、夜間又は暗闇でも財布から硬貨ｃ、紙幣又はカードなどを正確に取り出すことができれば、上述した発明の実施の形態に限定されず、本発明の要旨を逸脱しない範囲で種々変更できることは勿論である。
【産業上の利用可能性】
【００４０】
本発明の照明器内蔵型財布は、小銭入れの他に、札入れ、小物入れ、化粧ポーチ、巾着、ビジネスバッグ、ハンドバッグなどについても利用することができる。
【符号の説明】
【００４１】
１  光拡散部材
２  照明器内蔵型財布
３  収納部
４  開口部
５  光源
８  導光シート
９  光拡散シート
１０  電池
１１  スイッチ
２１  照明器内蔵型財布
２２  導光体
【図１】
2016013223.tif 000003
【図２】
2016013223.tif 000004
【図３】
2016013223.tif 000005
【図４】
2016013223.tif 000006
【図５】
2016013223.tif 000007
【図６】
2016013223.tif 000008
【図７】
2016013223.tif 000009
【図８】
2016013223.tif 000010
【図９】
2016013223.tif 000011
【図１０】
2016013223.tif 000012
【図１１】
2016013223.tif 000013
【手続補正書】
【提出日】平成26年12月19日(2014.12.19)
【手続補正１】
【補正対象書類名】明細書
【補正対象項目名】０００８
【補正方法】変更
【補正の内容】
【０００８】
本発明は、かかる問題点を解決するために創案されたものである。すなわち、本発明の目的は、財布という狭い空間内に照明器を取り付けることで、財布の内部に硬貨、紙幣又はカードなどがたくさん入っている場合にも財布の内部を広く照明することができ、夜間又は暗闇でも財布から硬貨、紙幣又はカードなどを正確に取り出すことができる照明器内蔵型財布を提供することにある。
【手続補正２】
【補正対象書類名】明細書
【補正対象項目名】０００９
【補正方法】変更
【補正の内容】
【０００９】
本発明は、硬貨類を収納する収納部（３）と、前記収納部（３）に設けられた、該収納部（３）内に硬貨類を出し入れする際に開閉する開口部（４）と、前記収納部（３）に設けられた、電池（１０）及びスイッチ（１１）と一体化した光源（５）と、前記収納部（３）内に、前記開口部（４）の近くに設けられた、前記光源（５）の照射光を拡散させ、該収納部（３）内を広く照明する光拡散部材（１）と、を備え、前記光拡散部材（１）を開口部（４）の近くに設けることにより、前記開口部（４）から前記収納部（３）の底の方を照明し得るように構成した、ことを特徴とする。
例えば、前記光拡散部材（１）は、透光性を有する導光シート（８）と反射機能を有する光拡散シート（９）を張り合わせたものである。
【手続補正３】
【補正対象書類名】明細書
【補正対象項目名】００１２
【補正方法】変更
【補正の内容】
【００１２】
上記構成の発明では、収納部（３）に光拡散部材（１）が設けられているので、これに光源（５）からの照射光を当てると拡散した光が、収納部（３）を広く照明することができる。夜間又は暗闇において、財布（２，２１）から硬貨を取り出す際に、少量の硬貨のときは勿論のこと大量の硬貨が開口部（４）まで溢れそうな時でも、光拡散部材（１）がこの開口部（４）を広く照明しているので、硬貨を種別ごとに明確に選び出すことができる。特に、この光拡散部材（１）は開口部（４）の近くに取り付けられているので、開口部（４）から収納部（３）の底（奥）の方まで照明することができる。
【手続補正４】
【補正対象書類名】明細書
【補正対象項目名】００２８
【補正方法】変更
【補正の内容】
【００２８】
スイッチ１１は電路の開閉を行うものであるが、本発明のスイッチ１１は押しボタン式を用いた。なお、押しボタン式スイッチ１１には押している間だけスイッチがオンになる自動復帰型スイッチと、押すたびにオンとオフが反転する位置保持型スイッチがある。本発明では数秒から１０数秒程度点灯させればよいので、自動復帰型スイッチを用いることが好ましい。この自動復帰型スイッチによれば、本発明の財布２がポケットの中、カバンの中で他の物に当たり、硬貨がこのスイッチ１１を誤って押した際にそのまま点灯し続けるという不具合が生じないからである。
【手続補正５】
【補正対象書類名】明細書
【補正対象項目名】００２６
【補正方法】変更
【補正の内容】
【００２６】
電池１０は財布２という狭い空間内に取り付けると共に、消費電力が少量で済むので、いわゆるボタン型電池を使用する。このボタン型電池は一次電池でも二次電池の何れでもよい。
【手続補正６】
【補正対象書類名】明細書
【補正対象項目名】００３６
【補正方法】変更
【補正の内容】
【００３６】
＜他の形状の照明器内蔵型財布の実施例＞
図９はがま口式の財布に本発明の照明器内蔵型財布を構成した状態を示す一部切り欠いた正面図である。図１０は二つ折り式の財布に本発明の照明器内蔵型財布を構成した状態を示す一部切り欠いた正面図である。
本発明の照明器内蔵型財布２，２１はファスナー式の開口部４を有する財布に限定されない。図９に示すように、ファスナー６に代えて、その開口部は広く開けることができるが、収納部３内はそれほど広がらないがま口式財布２，２１について、その内部を広く照明することができる。がま口２４の近くに光拡散部材１を設けることも可能である。
【手続補正７】
【補正対象書類名】明細書
【補正対象項目名】００４０
【補正方法】変更
【補正の内容】
【００４０】
本発明の照明器内蔵型財布は、小銭入れの他に、札入れ、小物入れ、化粧ポーチ、巾着などについても利用することができる。
【手続補正８】
【補正対象書類名】特許請求の範囲
【補正対象項目名】全文
【補正方法】変更
【補正の内容】
【特許請求の範囲】
【請求項１】
硬貨類を収納する収納部（３）と、
前記収納部（３）に設けられた、該収納部（３）内に硬貨類を出し入れする際に開閉する開口部（４）と、
前記収納部（３）に設けられた、電池（１０）及びスイッチ（１１）と一体化した光源（５）と、
前記収納部（３）内に、前記開口部（４）の近くに設けられた、前記光源（５）の照射光を拡散させ、該収納部（３）内を広く照明する光拡散部材（１）と、を備え、
前記光拡散部材（１）を開口部（４）の近くに設けることにより、前記開口部（４）から前記収納部（３）の底の方まで照明し得るように構成した、ことを特徴とする照明器内蔵型財布。
【請求項２】
前記光拡散部材（１）は、透光性を有する導光シート（８）と反射機能を有する光拡散シート（９）を張り合わせたものである、ことを特徴とする請求項１の照明器内蔵型財布。
【請求項３】
前記光拡散部材（１）は、前記収納部（３）に張り付けられた、透光性を有する合成樹脂材からなる導光体（２２）であり、
該導光体（２２）の一部から前記光源（５）の照射光を入射させ、その照射光を該収納部（３）内に広く拡散させるように構成したものである、ことを特徴とする請求項１の照明器内蔵型財布。
【請求項４】
前記収納部（３）自体が透光性を有する導光シート材から成るものである、ことを特徴とする請求項１の照明器内蔵型財布。
【請求項５】
前記光源（５）はレンズ内に発光素子が封入された砲弾型ＬＥＤであり、その電池（１０）とスイッチ（１１）を具備した、ことを特徴とする請求項１，２，３又は４の照明器内蔵型財布。
【請求項６】
前記光源（５）は基板上にリフレクタと発光素子を備えた表面実装型ＬＥＤであり、その電池（１０）とスイッチ（１１）を具備した、ことを特徴とする請求項１，２，３又は４の照明器内蔵型財布。
【手続補正書】
【提出日】平成27年5月21日(2015.5.21)
【手続補正１】
【補正対象書類名】明細書
【補正対象項目名】全文
【補正方法】変更
【補正の内容】
【発明の詳細な説明】
【技術分野】
【０００１】
本発明は、小銭入れ等の財布の内部を照明することができる照明器内蔵型財布に関する。
【背景技術】
【０００２】
財布に入れた硬貨、紙幣又はカードなどを出し入れする際に、昼間又は周囲が明るいときは所望の硬貨又は紙幣などを容易に取り出すことができる。夜間又は暗闇では、必要な硬貨又は紙幣などを正確に取り出すことが困難な場合がある。特に、多数の硬貨が入っている小銭入れから必要な硬貨を取り出すことは困難なことが多い。
【０００３】
夜間又は暗闇の中でも、財布に入れた硬貨、紙幣又はカードなどを容易に取り出すことができる財布が種々提案されている。例えば、特許文献１の実用新案登録第３１３４８３１号公報「照明つき収納物入れ」のように、蓋の開閉時に点灯、消灯の機能を持つ照明装置を取り付けた収納物入れが提案されている。
【０００４】
また、特許文献２の実用新案登録第３０２４７３３号公報「財布、かばん等袋物の内部照明装置」のように、所要の収納部と開閉自在な蓋部を一体形成してなる財布、かばん等袋物において、上記収納部に手元スイッチを設け、かつ該手元スイッチの閉成操作で点灯する照明灯を収納部内に臨ませて配設したものが提案されている。
【先行技術文献】
【特許文献】
【０００５】
【特許文献１】実用新案登録第３１３４８３１号公報
【特許文献２】実用新案登録第３０２４７３３号公報
【発明の概要】
【発明が解決しようとする課題】
【０００６】
しかし、小銭入れのように多数の硬貨が入っている場合は、特許文献１の「照明つき収納物入れ」又は特許文献２の「財布、かばん等袋物の内部照明装置」ように、収納物入れ又は財布、かばん等袋物の内面に、電球等の光源が１か所のみ取り付けられた構成では、開口部の周辺まで広範囲に明るくすることができなかった。この１か所の光源部分に物が覆うように当たっているときは、その照明効果が減殺され、財布の内部を十分に照明できなかった。
【０００７】
また、図１１の財布５１の断面図に示すように、小銭入れに硬貨ｃが多数入っているときは、この照明器５２の照射部分より上方に位置する硬貨ｃ（図示上はグレーに着色した硬貨ｃ）については、照明されず夜間又は暗闇では明確に判別できないという問題を有していた。同様に照射部分から外れた硬貨ｃも照明されなかった。
【０００８】
本発明は、かかる問題点を解決するために創案されたものである。すなわち、本発明の目的は、財布という狭い空間内に照明器を取り付けることで、財布の内部に硬貨、紙幣又はカードなどがたくさん入っている場合にも財布の内面を広く照明することができ、夜間又は暗闇でも財布から硬貨、紙幣又はカードなどを正確に取り出すことができる照明器内蔵型財布を提供することにある。
【課題を解決するための手段】
【０００９】
本発明は、収納した硬貨類を照明する照明器を内蔵した財布（２）であって、前記硬貨類を収納する収納部（３）と、前記収納部（３）に設けられた、該収納部（３）内に硬貨類を出し入れする際に開閉する開口部（４）と、前記収納部（３）に設けられた、電池（１０）及びスイッチ（１１）と一体化したＬＥＤから成る光源（５）と、前記収納部（３）内に、前記開口部（４）の近くに設けられた、前記光源（５）の照射光を拡散させ、該収納部（３）の内面を広く照明する、透光性を有する導光シート（８）と反射機能を有する光拡散シート（９）を張り合わせた光拡散部材（１）と、を備え、前記光拡散部材（１）の導光シート（８）と光拡散シート（９）を開口部（４）の近くに設けることにより、該開口部（４）から前記収納部（３）の底の方まで照明し得るように構成した、ことを特徴とする。
【００１０】
前記光源（５）はレンズ内に発光素子が封入された砲弾型ＬＥＤであり、その電池（１０）とスイッチ（１１）を具備したものである。
前記光源（５）は基板上にリフレクタと発光素子を備えた表面実装型ＬＥＤであり、その電池（１０）とスイッチ（１１）を具備したものである。
【発明の効果】
【００１１】
上記構成の発明では、収納部（３）に光拡散部材（１）が設けられているので、これに光源（５）からの照射光を当てると拡散した光が、収納部（３）の内面を広く照明することができる。夜間又は暗闇において、財布（２）から硬貨を取り出す際に、少量の硬貨のときは勿論のこと大量の硬貨が開口部（４）まで溢れそうな時でも、光拡散部材（１）がこの開口部（４）を広く照明しているので、硬貨を種別ごとに明確に選び出すことができる。特に、この光拡散部材（１）は開口部（４）の近くに取り付けられているので、開口部（４）から収納部（３）の底（奥）の方まで照明することができる。
【００１２】
また、光拡散部材（１）が収納部（３）の内面を広く照明しているので、財布（２，２１）の形状に関係なく、その内部を広く照明することができる。二つ折り式で収納部（３）が開口部（４）と共に１８０度近く開閉する財布（２）については、硬貨を十分に照明することができる。開口部（４）ががま口式の財布（２）については、この開口部（４）を広く開けることができるが、収納部（３）はそれほど広がらない財布（２，２１）でもその内部を広く照明することができる。更には、ファスナー式の開口部（４）が広く開けられない財布（２）でも容易に内部を広く照明することができる。
【００１３】
導光シート（８）と光拡散シート（９）から成る光拡散部材（１）では、これを収納部（３）の内面に張り付けて使用することにより、この導光シート（８）に光源（５）を配置し、これを照射することにより、この導光シート（８）の照射光は光拡散シート（９）により広い範囲に拡散され、財布（２）の内部（収納部（３）の内面）を広く照明することができる。
【００１４】
導光シート（８）と光拡散シート（９）が共にフレキシブルな素材からなる光拡散部材（１）は、柔軟な素材の財布（２）にも適している。
【図面の簡単な説明】
【００１５】
【図１】実施例１の光拡散シートを具備した照明器内蔵型財布を示す正面図である。
【図２】実施例１の光拡散シートを具備した照明器内蔵型財布を示す断面図である。
【図３】実施例１の光拡散シート部分の拡大側断面図である。
【図４】実施例１の照明器内蔵型財布の使用状態を示す断面図である。
【図５】実施例２の導光体を具備した照明器内蔵型財布を示す断面図である。
【図６】実施例２の導光体部分の平断面図である。
【図７】導光体と光源を示す断面図である。
【図８】導光体と光源を示す拡大断面図である。
【図９】がま口式の財布に本発明の照明器内蔵型財布を構成した状態を示す断面である。
【図１０】二つ折り式の財布に本発明の照明器内蔵型財布を構成した状態を示す断面である。
【図１１】従来の照明器を備えた財布の断面図である。
【発明を実施するための形態】
【００１６】
本発明は、硬貨類を収納する収納部と、硬貨類を出し入れする際に開閉し得る開口部と、収納部内に設けられた光源と、光源の照射光を拡散させ、収納部の内面を広く照明し得る光拡散部材とを備えた財布である。
【実施例１】
【００１７】
＜照明器内蔵型財布の構成＞
図１は実施例１の光拡散シートを具備した照明器内蔵型財布を示す正面図である。図２は実施例１の光拡散シートを具備した照明器内蔵型財布を示す断面図である。図３は実施例１の光拡散シート部分の拡大側断面図である。
本発明の実施例１の光拡散部材１である導光シート８と光拡散シート９を具備した照明器内蔵型財布２は皮革製の財布であり、硬貨ｃを収納する収納部３と、この収納部３内に硬貨ｃを出し入れする際に開閉する開口部４とを備えたものである。この収納部３に、光源５と、この光源５の照射光を収納部３内面に拡散させ、収納部３内の広く照明し得る光拡散部材１が設けられている。光源５と光拡散部材１により収納部３内を広範囲に照明するようになっている。なお、照明器内蔵型財布２の素材は皮革製に限定されない。例えば、合成樹脂製、木製、金属製、その他の素材のものを用いることができる。
【００１８】
実施例１の照明器内蔵型財布２は、硬貨ｃが数十枚収納することができる略四角形状の収納部３を有する財布である。その一辺に設けられた開口部４はエレメントとスライダー７から成るファスナー６が開閉する方式である。図２に示すように、この収納部３の内面に光拡散部材１を張り付け、この光拡散部材１を照射するＬＥＤなどの光源５を取り付けた。この光拡散部材１は開口部４即ちファスナー６の近くに張り付けた。これは開口部４から収納部３の底（奥）の方を照明するためである。なお、照明器内蔵型財布２（収納部３）の形状は略四角形状に限定されないことは勿論である。例えば、円形状、三角形状、八角合形状、俵型、球状、その他の形状のものでもよい。
【００１９】
また、光拡散部材１は収納部３の一面側に張り付けることに限定されない。フレキシブルな素材のものであれば、１枚の光拡散部材１を折り曲げて収納部３の両面側に張り付けることもできる。
【００２０】
＜光拡散シート（光拡散部材）の構成＞
実施例１の光拡散部材１は、図３の拡大断面図に示すように。例えばアクリル樹脂製の導光シート８と反射機能を有する鏡面加工した光拡散シート９を張り合わせたものである。この導光シート８を光源５で照射するとその光が光拡散シート９で拡散されて収納部３内を広く照明することができる。
【００２１】
また、この導光シート８と光拡散シート９はフレキシブルな素材が好ましい。財布２は硬貨ｃをたくさん入れるとそれにより収納部３に凹凸ができるからである。その形状の変化に追従できるようにするためである。
【００２２】
光源５は、同じく図３の拡大断面図に示すように、その照射方向に光拡散シート９に向けて配置し、その照射光を効率よく反射させる。この光源５は、例えばレンズ内に発光素子が封入された砲弾型ＬＥＤを用いる。この砲弾型ＬＥＤは電池１０とスイッチ１１を具備している。この砲弾型ＬＥＤで光拡散部材１の一部を照射するようになっている。または基板上にリフレクタと発光素子を備えた表面実装型ＬＥＤを用いることができる。
【００２３】
電池１０は財布２という狭い空間内に取り付けると共に、消費電力が少量で済むので、いわゆるボタン型電池を使用する。このボタン型電池は一次電池でも二次電池の何れでもよい。
【００２４】
このように光源５のＬＥＤと電池１０とスイッチ１１とを一体化してコンパクトにすることで、小さな財布２にも容易に取り付けることができる。
【００２５】
スイッチ１１は電路の開閉を行うものであるが、本発明のスイッチ１１は押しボタン式を用いた。なお、押しボタン式スイッチ１１には押している間だけスイッチがオンになる自動復帰型スイッチと、押すたびにオンとオフが反転する位置保持型スイッチがある。本発明では数秒から１０数秒程度点灯させればよいので、自動復帰型スイッチを用いることが好ましい。この自動復帰型スイッチによれば、本発明の財布２がポケットの中、カバンの中で他の物に当たり、硬貨がこのスイッチ１１を誤って押した際にそのまま点灯し続けるという不具合が生じないからである。
【００２６】
また、図示例では光源５とスイッチ１１を共に収納部３内に配置したが、光源５は収納部３内に配置する必要があるが、スイッチ１１は収納部３の表面側に設けることも可能である。
【００２７】
＜照明器内蔵型財布の使用方法＞
図４は実施例１の照明器内蔵型財布の使用状態を示す断面図である。
このように構成した照明器内蔵型財布２の使用方法について説明する。
夜間又は暗闇において、財布２から硬貨ｃを取り出す際に、その開口部４を開け、スイッチ１１を親指で押して光源５を点灯させる。この光源５の点灯により、収納部３の内面に設けられた光拡散部材１が収納部３内を広く照明することができる。この照明により硬貨の種別を明確に選び出すことができる。必要な硬貨を取り出すことができる。
その後は、親指をスイッチ１１から外して財布２の開口部４を閉じればよい。
【００２８】
なお、夜間又は暗闇において、小銭入れ（財布２）から硬貨ｃを取り出す際に、少量の硬貨ｃのときは勿論のこと大量の硬貨が開口部４まで溢れそうな時でも、光拡散部材１がこの開口部４まで広く照明しているので、明確に硬貨ｃの種別を選び、的確に取り出すことができる。
【実施例２】
【００２９】
＜導光体（光拡散部材）を具備した照明器内蔵型財布の構成＞
図５は実施例２の導光体を具備した照明器内蔵型財布を示す断面図である。図６は実施例２の導光体部分の平断面図である。図７は導光体と光源を示す断面図である。図８は導光体と光源を示す拡大断面図である。なお、導光体以外の部材は実施例１のものと同じため詳細な説明は省略する。
実施例２の照明器内蔵型財布２１は光拡散部材１として導光体２２を具備した財布である。この実施例２の光拡散部材１は、収納部３の内面に、透光性を有する合成樹脂材からなる導光体２２を張り付けたものである。この導光体２２は、例えばアクリル樹脂などの透明樹脂の内面反射を利用して、片側の光源５から入射した光を他方へ効率よく導く材質ものである。この導光体２２の一部から光源５の照射光を入射させ、その照射光を収納部３内に広く拡散させるように構成したものである。
【００３０】
この実施例２の光拡散部材１は、これを開口部４の近くに取り付けて使用することにより、この導光体２２の一部に光源５の光を照射し、この導光体２２の周囲から収納部３内を拡散照射させて広い範囲を照明でき、財布２１の内部（収納部３）を広く照明することができる。この導光体２２の長手方向の一側に着色して、その反対側は透明又は透光性の状態にすることで、収納部３の底方向に向けて照明するように構成することも可能である。
この導光体２２の光拡散部材１は、がま口の開口部４の口金のような硬い素材あるいは、合わせ式財布のような硬い素材の場合にも適している。
【００３１】
導光体２２と光源５との位置関係は、図７と図８の断面図に示すように、導光体２２の略中央位置に入射部２３を形成し、これに光源５の光を照射する。この入射部２３は導光体２２の一端に設けることも勿論可能である。導光体２２の一側（図示上では上側）に反射材２６を取り付けることで、その反対側（図示上では下側）から反射光を効率よく出射させることができる。
【実施例３】
【００３２】
＜その他の光拡散部材の構成＞
財布２，２１に光拡散部材１を設ける構成のほか、財布２，２１全体が照射される構成にすることができる。図示していないが、光拡散部材１は収納部３の内面に張り付ける構成に限定されず、収納部そのものが透光性機能を有する素材で構成することも可能である。このように構成すればこの収納部の一部を照射すれば、財布自体が照明されて、内部の硬貨を容易に判別することができる。
【００３３】
＜他の形状の照明器内蔵型財布の実施例＞
図９はがま口式の財布に本発明の照明器内蔵型財布を構成した状態を示す一部切り欠いた正面図である。図１０は二つ折り式の財布に本発明の照明器内蔵型財布を構成した状態を示す一部切り欠いた正面図である。
本発明の照明器内蔵型財布２，２１はファスナー式の開口部４を有する財布に限定されない。図９に示すように、ファスナー６に代えて、その開口部は広く開けることができるが、収納部３内はそれほど広がらないがま口２４式財布２，２１について、その内部を広く照明することができる。がま口２４の近くに光拡散部材１を設けることも可能である。
【００３４】
図１０に示すように、二つ折り式の財布２，２１にも構成することができる。光拡散部材１が収納部３の内面を広く照明しているので、二つ折り式で収納部３が開口部４と共に１８０度近く開閉し、開口部４に着脱自在になる１対のホック２５が設けられたホック式財布では十分に硬貨を照明することができる。
【００３５】
更に、ファスナー式の開口部４が広く開けられない財布でも容易に内部を広く照明することができる。本発明の構成では、このように光拡散部材１により財布の形状に関係なく、その内部を広く照明することができる。
【００３６】
なお、本発明は、財布２，２１の内部に硬貨ｃ、紙幣又はカードなどがたくさん入っている場合にも財布２，２１の内部を広く照明することにより、夜間又は暗闇でも財布から硬貨ｃ、紙幣又はカードなどを正確に取り出すことができれば、上述した発明の実施の形態に限定されず、本発明の要旨を逸脱しない範囲で種々変更できることは勿論である。
【産業上の利用可能性】
【００３７】
本発明の照明器内蔵型財布は、小銭入れの他に、札入れ、小物入れ、化粧ポーチ、巾着などについても利用することができる。
【符号の説明】
【００３８】
１  光拡散部材
２  照明器内蔵型財布
３  収納部
４  開口部
５  光源
８  導光シート
９  光拡散シート
１０  電池
１１  スイッチ
２１  照明器内蔵型財布
２２  導光体
【手続補正２】
【補正対象書類名】特許請求の範囲
【補正対象項目名】全文
【補正方法】変更
【補正の内容】
【特許請求の範囲】
【請求項１】
収納した硬貨類を照明する照明器を内蔵した財布（２）であって、
前記硬貨類を収納する収納部（３）と、
前記収納部（３）に設けられた、該収納部（３）内に硬貨類を出し入れする際に開閉する開口部（４）と、
前記収納部（３）に設けられた、電池（１０）及びスイッチ（１１）と一体化したＬＥＤから成る光源（５）と、
前記収納部（３）内に、前記開口部（４）の近くに設けられた、前記光源（５）の照射光を拡散させ、該収納部（３）の内面を広く照明する、透光性を有する導光シート（８）と反射機能を有する光拡散シート（９）を張り合わせた光拡散部材（１）と、を備え、
前記光拡散部材（１）の導光シート（８）と光拡散シート（９）を開口部（４）の近くに設けることにより、該開口部（４）から前記収納部（３）の底の方まで照明し得るように構成した、ことを特徴とする照明器内蔵型財布。
【請求項２】
前記光源（５）はレンズ内に発光素子が封入された砲弾型ＬＥＤであり、その電池（１０）とスイッチ（１１）を具備した、ことを特徴とする請求項１の照明器内蔵型財布。
【請求項３】
前記光源（５）は基板上にリフレクタと発光素子を備えた表面実装型ＬＥＤであり、その電池（１０）とスイッチ（１１）を具備した、ことを特徴とする請求項１の照明器内蔵型財布。
【手続補正３】
【補正対象書類名】図面
【補正対象項目名】図１
【補正方法】変更
【補正の内容】
【図１】
2016013223.tif 000014